(57)【要約】      （修正有）【課題】装着者に容易に装着できて、髪飾りも容易に取り付け可能な髷用かつら及び前記髷用かつらと前髪用かつらとを備えてなる日本髪用かつらセットを提供する。【解決手段】装着者の地髪に装着して日本髪の髷部分を形成する髷用かつら１であって、樹脂素材からなる基台１０と、基台の外面を被覆すると共に基台の外面側から内面側に折り込んで固定される毛髪体２０とを備え、基台は、山なりに湾曲した湾曲形状をなすと共に、基台の内面側に、髷用かつらを装着者の地髪に係止させるための係止部３０と、髪飾りを挿通させるための髪飾り挿通部１１とを備える髷用かつらである。また前記髷用かつらと、日本髪の前髪部分を形成する前髪用かつら２とを備えてなる日本髪用かつらセット１００である。【選択図】図３
2020097808.tif 000002
【特許請求の範囲】
【請求項１】
装着者の地髪に装着して日本髪の髷部分を形成する髷用かつらであって、樹脂素材からなる基台と、前記基台の外面を被覆すると共に基台の外面側から内面側に折り込んで固定される毛髪体とを備え、前記基台は、山なりに湾曲した湾曲形状をなすと共に、前記基台の内面側に、髷用かつらを装着者の地髪に係止させるための係止部と、髪飾りを挿通させるための髪飾り挿通部とを備えることを特徴とする髷用かつら。
【請求項２】
基台と毛髪体との少なくとも何れか一方に、髪止め具を保持するための髪止め具保持部を備えることを特徴とする請求項１に記載の髷用かつら。
【請求項３】
基台の内面に、基台の強度を補強するための補強材を配設してあることを特徴とする請求項１又は２に記載の髷用かつら。
【請求項４】
基台の前側端部と後側端部との少なくとも何れか一方に、基台の外面側から内面側に折り込まれる毛髪体をガイドするための毛髪体ガイド部を備えることを特徴とする請求項１〜３の何れか１項に記載の髷用かつら。
【請求項５】
毛髪体ガイド部は、基台を切り欠いてなる切り欠きで構成されることを特徴とする請求項４に記載の髷用かつら。
【請求項６】
樹脂素材は、発泡スチロールであることを特徴とする請求項１〜５の何れか１項に記載の髷用かつら。
【請求項７】
請求項１〜６の何れか１項に記載の髷用かつらと、装着者の地髪に装着して日本髪の前髪部分を形成する前髪用かつらとを備えてなる日本髪用かつらセットであって、前記前髪用かつらは、樹脂素材からなる基台と、前記基台の外面を被覆すると共に基台の外面側から内面側に折り込んで固定される毛髪体とを備え、前記基台は、山なりに湾曲した湾曲形状をなすと共に、前記基台の内面側に、前髪用かつらを装着者の地髪に係止させる係止部を備えることを特徴とする日本髪用かつらセット。
【請求項８】
前髪用かつらを構成する樹脂素材は、発泡スチロールであることを特徴とする請求項７に記載の日本髪用かつらセット。
【発明の詳細な説明】
【技術分野】
【０００１】
本発明は、髷用かつら及び前記髷用かつらと前髪用かつらとを備えてなる日本髪用かつらセットに関する。
【背景技術】
【０００２】
従来、日本髪用かつらは、装着者の頭部を全て包み込むヘルメット状の装着部材に日本髪の形態をしたかつらが固定されているものが一般的であった。このような日本髪用かつらは、装着者が装着部材をかぶれば、自らの髪を結わなくて済むものの、装着部材を装着者の頭の大きさに合わせて作成する必要があることから、装着者ごとに装着部材を作成する必要があり、利便性が悪いという問題があった。
このような問題を解消するべく、装着者の地髪に髷用かつらを装着するなど、日本髪の一部分を構成する日本髪用かつらとし、装着者が異なる場合でも使用可能な日本髪用かつらが各種開発されている。
このような装着者の地髪に装着する日本髪用かつらを示す従来技術として、下記特許文献１がある。
【先行技術文献】
【特許文献】
【０００３】
【特許文献１】特開２０１５−１４３４０２号公報
【発明の概要】
【発明が解決しようとする課題】
【０００４】
上記特許文献１は、綿帽子用簡易日本髪かつらに関する発明で、使用者の前頭部に被着可能な可撓性を有する素材である台金２と、前髪部３と、鬢部４と、台金の中央部から後方に延びる帯状支持片５と、その帯状支持片５から上方に延びるステイ６と、ステイ６によって支持される綿帽子頂部支持部材７と、綿帽子後部支持部材８とを備える構成が開示されている。
このような構成を備えることで、短時間で簡単に日本髪に綿帽子を被ったのと同じ状態を実現できるというメリットがあるものの、かつら全体が大がかりなものとなり、装着者への装着に手間がかかると共に、髪飾りを容易に取り付けることができないという問題があった。また帯状支持片５、ステイ６、綿帽子頂部支持部材７、綿帽子後部支持部材８が全てむき出し状態となっている構成であることから、綿帽子を被った状態でのみ使用が可能で、綿帽子を取った状態では見栄えが悪く、使用することができないという問題があった。
【０００５】
そこで本発明は上記従来における問題点を解決し、装着者に容易に装着できて、髪飾りも容易に取り付け可能な髷用かつら及び前記髷用かつらと前髪用かつらとを備えてなる日本髪用かつらセットの提供を課題とする。
【課題を解決するための手段】
【０００６】
上記課題を達成するため、本発明の髷用かつらは、装着者の地髪に装着して日本髪の髷部分を形成する髷用かつらであって、樹脂素材からなる基台と、前記基台の外面を被覆すると共に基台の外面側から内面側に折り込んで固定される毛髪体とを備え、前記基台は、山なりに湾曲した湾曲形状をなすと共に、前記基台の内面側に、髷用かつらを装着者の地髪に係止させるための係止部と、髪飾りを挿通させるための髪飾り挿通部とを備えることを第１の特徴としている。
また本発明の髷用かつらは、上記第１の特徴に加えて、基台と毛髪体との少なくとも何れか一方に、髪止め具を保持するための髪止め具保持部を備えることを第２の特徴としている。
また本発明の髷用かつらは、上記第１又は第２の特徴に加えて、基台の内面に、基台の強度を補強するための補強材を配設してあることを第３の特徴としている。
また本発明の髷用かつらは、上記第１〜第３の何れか１つの特徴に加えて、基台の前方側端部と後方側端部との少なくとも何れか一方に、基台の外面側から内面側に折り込まれる毛髪体をガイドするための毛髪体ガイド部を備えることを第４の特徴としている。
また本発明の髷用かつらは、上記第４の特徴に加えて、毛髪体ガイド部は、基台を切り欠いてなる切り欠きで構成されることを第５の特徴としている。
また本発明の髷用かつらは、上記第１〜第５の何れか１つの特徴に加えて、樹脂素材は、発泡スチロールであることを第６の特徴としている。
また本発明の日本髪用かつらセットは、請求項１〜６の何れか１項に記載の髷用かつらと、装着者の地髪に装着して日本髪の前髪部分を形成する前髪用かつらとを備えてなる日本髪用かつらセットであって、前記前髪用かつらは、樹脂素材からなる基台と、前記基台の外面を被覆すると共に基台の外面側から内面側に折り込んで固定される毛髪体とを備え、前記基台は、山なりに湾曲した湾曲形状をなすと共に、前記基台の内面側に、前髪用かつらを装着者の地髪に係止させる係止部を備えることを第７の特徴としている。
また本発明の日本髪用かつらセットは、上記第７の特徴に加えて、前髪用かつらを構成する樹脂素材は、発泡スチロールであることを第８の特徴としている。
【発明の効果】
【０００７】
上記第１の特徴による髷用かつらによれば、頭の形に添った状態で、装着者の地髪に容易に装着できる髷用かつらとすることができる。また髪飾りを装着する場合においても、髪飾り挿通部を利用することで、容易且つ迅速に髪飾りを装着することができる。
また上記第２の特徴による髷用かつらによれば、上記第１の特徴による作用効果に加えて、髪止め部保持具を備えることで、髪止め具を介して装着者の地髪に一段と効率的に髷用かつらを装着することができる。
また上記第３の特徴による髷用かつらによれば、上記第１又は第２の特徴による作用効果に加えて、簡易な構成で基台の強度を効果的に増強させることができる。
また上記第４の特徴による髷用かつらによれば、上記第１〜第３の何れか１つの特徴による作用効果に加えて、毛髪体ガイド部によって毛髪体を効率的に基台の外面側から内面側に折り込むことができる。
また上記第５の特徴による髷用かつらによれば、上記第４の特徴による作用効果に加えて、毛髪体ガイド部を簡易な構成で形成することができる。
また上記第６の特徴による髷用かつらによれば、上記第１〜第５の何れか１つの特徴による作用効果に加えて、軽くて、屈曲性を備えた基台とすることができる。よって、装着者に対する装着時の負担や疲れを効果的に軽減できると共に、一段と装着者の頭の形に添った状態で装着可能な髷用かつらとすることができる。更に髷用かつらを装着した状態において、角隠しや綿帽子を装着する際には、例えば先端が尖ったピンを角隠しや綿帽子に差し込み、そのまま髷用かつらの基台を構成する発泡スチロールに差し込むだけで、角隠しや綿帽子を容易且つ確実に固定することができる。よって角隠しや綿帽子の装着に係る手間の簡略化や時間の短縮化を実現できる髷用かつらとすることができる。
また上記第７の特徴による日本髪用かつらセットによれば、頭の形に添った状態で、装着者の地髪に容易に装着できる髷用かつらと前髪用かつらとがセットになった日本髪用かつらセットとすることができる。
また上記第８の特徴による日本髪用かつらセットによれば、上記第７の特徴による作用効果に加えて、日本髪用かつらセットを装着した状態において、角隠しや綿帽子を装着する際には、例えば先端が尖ったピンを角隠しや綿帽子に差し込み、そのまま前髪用かつらの基台を構成する発泡スチロールに差し込むだけで、角隠しや綿帽子を容易且つ確実に固定することができる。よって角隠しや綿帽子の装着に係る手間の簡略化や時間の短縮化を実現できる日本髪用かつらセットとすることができる。
【図面の簡単な説明】
【０００８】
【図１】本発明の第１の実施形態に係る日本髪用かつらセットを示す図で、（ａ）は日本髪用かつらセットを装着した後に角隠しを取り付けた状態を示す斜視図、（ｂ）は日本髪用かつらセットを装着した状態を示す斜視図である。
【図２】本発明の第１の実施形態に係る日本髪用かつらセットを示す図で、（ａ）は日本髪用かつらセットを装着した状態を示す側面図、（ｂ）は日本髪用かつらセットを装着した後に角隠しを取り付けた状態を示す要部の中央断面図である。
【図３】本発明の第１の実施形態に係る日本髪用かつらセットを示す図で、（ａ）は裏側から見た状態を示す斜視図、（ｂ）は裏側から見た状態を示す平面図である。
【図４】本発明の第１の実施形態に係る髷用かつらを示す図で、（ａ）は分解した状態を示す側面図、（ｂ）は基台を裏側から見た状態を示す平面図である。
【図５】本発明の第１の実施形態に係る日本髪用かつらセットの他の使用例と変形例を示す図で、（ａ）は日本髪用かつらセットを装着した後に綿帽子を取り付けた状態を示す斜視図、（ｂ）は髷用かつらのみを使用した状態を示す斜視図、（ｃ）は髷用かつらの基台の変形例を示す側面図である。
【図６】本発明の第１の実施形態に係る髷用かつらの変形例と、本発明の第２の実施形態に係る髷用かつらを示す図で、（ａ）は、本発明の第１の実施形態に係る髷用かつらの変形例を示す斜視図、（ｂ）は本発明の第２の実施形態に係る髷用かつらの要部を示す斜視図である。
【図７】本発明の第２の実施形態に係る髷用かつらの変形例１を示す図で、（ａ）は髷用かつらの装着前の状態を示す斜視図、（ｂ）は髷用かつらの装着時の状態を示す斜視図である。
【図８】本発明の第２の実施形態に係る髷用かつらの変形例１、２を示す図で、（ａ）は変形例１に係る髷用かつらの一部分解図、（ｂ）は変形例２に係る髷用かつらの要部を示す斜視図である。
【発明を実施するための形態】
【０００９】
以下、各図面を参照して、本発明の実施形態に係る髷用かつら及び髷用かつらと前髪用かつらとを備えてなる日本髪用かつらセットを説明し、本発明の理解に供する。しかし、以下の説明は特許請求の範囲に記載の本発明を限定するものではない。
【００１０】
まず図１〜図４を参照して、本発明の第１の実施形態に係る髷用かつら及び髷用かつらと前髪用かつらとを備えてなる日本髪用かつらセットを説明する。
図１を参照して、本発明の第１の実施形態に係る日本髪用かつらセット１００は、日本髪をセットするには毛量が足りない装着者３（例えば前髪が短い子供や短髪な髪型の者など）の地髪３ａに装着して日本髪を形成するためのかつらセットである。
なお、本実施形態においては図１（ａ）に示すように、日本髪を形成した後、止め具たる先が尖ったピンＦを用いて日本髪用かつらセット１００に角隠しＴを固定させて、花嫁の髪型をセットする目的で日本髪用かつらセット１００を使用するものとする。
この日本髪用かつらセット１００は、図１〜図３に示すように、髷用かつら１と、前髪用かつら２とで構成される。
【００１１】
前記髷用かつら１は、装着者３の地髪３ａに装着して日本髪の髷部分を形成するためのものである。この髷用かつら１は、図１〜図３に示すように、基台１０と、毛髪体２０と、係止部３０と、固定部４０とで構成される。
【００１２】
前記基台１０は、髷用かつら１の骨格を構成するものである。本実施形態においては、適度な屈曲性を備える樹脂素材で基台１０を形成してある。また図２〜図４に示すように、基台１０の形状を、内部に空洞部を備える山なりに湾曲した湾曲形状で構成してある。
なお、樹脂素材としては、適度な屈曲性を備えるものであれば如何なるものを用いてもよい。本実施形態においては、樹脂素材として発泡スチロールを用いている。
【００１３】
また図２〜図４に示すように、基台１０には、その前側端部から後側端部までの長手方向の略中央位置の内面側に、髪飾りＫを挿通させるための髪飾り挿通部１１を設けてある。なお、ここで「前側、後側」とは、装着者３の前頭部側を前側、後頭部側を後側とするものである。
本実施形態においては図３（ａ）に示すように、基台１０の長手方向と交差する短手方向（幅方向）に延びる突出部１１ａと、突出部１１ａの長手方向に設ける貫通孔１１ｂとで髪飾り挿通部１１を形成してある。なお、本実施形態においては図４（ｂ）に示すように、髪飾り挿通部１１を構成する突出部１１ａの長手方向の長さを、基台１０の内側に収まる長さとする構成としてある。このような構成とすることで、髪飾り挿通部１１が基台１０からはみ出さない構成とすることができる。
【００１４】
更に本実施形態においては、髪飾り挿通部１１を構成する突出部１１ａ及び貫通孔１１ｂを、基台１０を形成する際に発泡スチロールで一体成形する構成としてある。勿論、髪飾り挿通部１１の構成は本実施形態のものに限るものではなく、適宜変更可能である。例えば、基台１０の内面側に設けることができる構成であれば、基台１０を形成する発泡スチロールとは別体として髪飾り挿通部１１を形成し、基台１０と一体化させるような構成としてもよい。
【００１５】
また、本実施形態においては図３（ａ）、図４（ｂ）に示すように、基台１０の前側端部と後側端部との両方に、基台１０の外面側から内面側に折り込まれる毛髪体２０をガイドするための毛髪体ガイド部１２を設けてある。具体的には、前側毛髪体ガイド部１２ａと、後側毛髪体ガイド部１２ｂの二つの毛髪体ガイド部１２を設けてある。この毛髪体ガイド部１２は、髷用かつら１を形成する工程において、基台１０の外面側から内面側に毛髪体２０を折り込む際に、基台１０における毛髪体２０の折り込み位置を規定すると共に、毛髪体２０の端部を一体的に受け止めて収束させ、毛髪体２０を基台１０の内側に折り込む（折り返す）ための起点となるものである。
本実施形態においては、毛髪体ガイド部１２を、発泡スチロールからなる基台１０を略Ｕ字状に内側に切り抜いてなる切り欠きで構成してある。勿論、基台１０に設ける毛髪体ガイド部１２の構成は、本実施形態の形状、大きさ、数、配置位置に限るものではなく、適宜変更可能である。
【００１６】
なお、図４（ｂ）に示す基台１０の長手方向の長さＬは、大人用の場合は２８ｃｍ程度、子供用の場合は２３ｃｍ程度とすることが望ましい。
また基台１０の短手方向の長さのうち、前側端部の長さＭは、大人用の場合は１６ｃｍ程度、子供用の場合は１０ｃｍ程度とすることが望ましい。また後側端部の長さＮは、大人用の場合は５ｃｍ程度、子供用の場合は４ｃｍ程度とすることが望ましい。
また前側毛髪体ガイド部１２ａの長さＰ及び後側毛髪体ガイド部１２ｂの長さＱは、大人用の場合は５ｃｍ程度、子供用の場合は３ｃｍ程度とすることが望ましい。
【００１７】
前記毛髪体２０は、基台１０の外面を被覆すると共に、基台１０の外面側から内面側に折り込んで、固定具４０を介して基台１０に固定されて、髷を構成するものである。本実施形態においては、毛髪体２０として人工毛を用いる構成としてある。
【００１８】
また本実施形態においては、図３に示すように、髪包み体Ｒを用いて、毛髪体２０の前側端部を一体的に包み込んで束ねる構成としてある。更に髪包み体Ｒとしてフェルト生地を用い、毛髪体２０の前側端部をフェルト生地で一体的に包んだ状態で図示しない糸でフェルト生地の先端側開口部を縫合する構成としてある。
更にゴムバンドで構成される髪止めＤを用いて、毛髪体２０の後側端部を一体的に束ねる構成としてある。このように髪包み体Ｒ、髪止めＤで毛髪体２０の端部を一体的に束ねることで、毛髪体ガイド部１２と合わさって、毛髪体２０を基台１０の内面側に折り込む作業を一段と効率的に行うことができる。
【００１９】
このような構成からなる毛髪体２０は、基台１０の外面を被覆した状態で、基台１０の外面側から内面側に折り込まれ、固定具４０を介して基台１０に固定される。具体的には、糸で構成される固定具４０を介して、基台１０に縫い付けられて固定される。
【００２０】
前記係止部３０は、髷用かつら１を装着者３の地髪３ａに係止させるためのものである。この係止部３０は図３に示すように、支持体３１と、係止体３２とで構成される。
なお、本実施形態においては、基台１０の前側の位置で、且つ毛髪体２０が基台１０の内面側に折り込んで固定される位置に、係止部３０を設ける構成としてある。
【００２１】
前記支持体３１は、基台１０と毛髪体２０との少なくとも何れか一方に係止部３０を固定させるための土台となるものである。本実施形態においては、支持体３１として、樹脂素材で形成される細長い棒状部材を用いる構成としてある。勿論、支持体３１の構成は本実施形態のものに限るものではなく、適宜変更可能である。また支持体３１は必ずしも設ける必要はなく、支持体３１を設けない構成としてもよい。
【００２２】
前記係止体３２は、髷用かつら１を装着者３の地髪３ａに係止させるための部材となるものである。
本実施形態においては、係止体３２として、複数本の櫛歯を備えてなる櫛歯状部材を用いる構成としてある。
なお、詳しくは図示していないが、複数本の櫛歯のそれぞれは、いわゆる髪止めピンを形成する針金部材で構成されており、支持体３１の所定位置に固定されている。
勿論、係止体３２の構成は本実施形態のものに限るものではなく、髷用かつら１を装着者３の地髪３ａに係止させることができるものであれば、適宜変更可能である。
【００２３】
本実施形態においては、このように構成される係止部３０は、基台１０及び毛髪体２０に固定されている。具体的には、糸で構成される固定具４０を用いて、支持体３１を基台１０及び毛髪体２０に縫い付けて固定させてある。
なお、係止部３０の形成位置は本実施形態のものに限るものではなく、適宜変更可能である。
【００２４】
前記固定具４０は、主として毛髪体２０を基台１０に固定するための部材である。本実施形態においては図３に示すように、固定具４０として、毛髪と同系色（本実施形態においては黒色）の糸を用いる構成としてある。
そして基台１０の外面を毛髪体２０で被覆し、基台１０の外面側から内面側に毛髪体２０を折り込んだ状態で、固定具４０を介して毛髪体２０の端部を基台１０に縫い付けて固定してある。
【００２５】
前記髪飾りＫは、日本髪に施す装飾品である。
本実施形態においては、この髪飾りＫは、芯棒Ｋ１と、装飾体Ｋ２とで構成される。
【００２６】
前記芯棒Ｋ１は、装飾体Ｋ２を支持するための支持棒となるものである。本実施形態においては図１、図２に示すように、芯棒Ｋ１として、細長い円柱状の樹脂部材を用いる構成としてある。樹脂部材としては、例えばプラスチックなどを用いることができる。
また図示していないが、１つの装飾体Ｋ２を備える芯棒Ｋ１を２本用いる構成とし、貫通孔１１ｂの両サイドから、それぞれの芯棒Ｋ１を差し入れる構成としてある。また芯棒Ｋ１は、貫通孔１１ｂの開口端部を挟持するクリップ部（図示しない）を備え、このクリップ部で貫通孔１１ｂの縁を挟むことで、芯棒Ｋ１を髪飾り挿通部１１に着脱自在に固定する構成としてある。
勿論、芯棒Ｋ１の素材、形状、髪飾り挿通部１１への固定方法などは本実施形態のものに限るものではなく、適宜変更可能である。
【００２７】
前記装飾体Ｋ２は、飾り部分を構成するものである。本実施形態においては、装飾体Ｋ２として、花びらの形状をした樹脂部材を５枚重ねて一体化させると共に、花びらの裏面側に下方に延びる針金部材を取り付けてなる装飾体を用いる構成としてある。そして、この針金部材を用いて、芯棒Ｋ１に装飾体Ｋ２を着脱自在に取り付ける構成としてある。勿論、装飾体Ｋ２の構成は本実施形態のものに限るものではなく、適宜変更可能である。
【００２８】
前記前髪用かつら２は、装着者３の地髪３ａに装着して日本髪の前髪部分を形成するためのものである。この前髪用かつら２は、図２、図３に示すように、基台５０と、毛髪体６０と、係止部７０と、既述した固定具４０とで構成される。
【００２９】
前記基台５０、毛髪体６０、係止部７０は、既述した髷用かつら１を構成する基台１０、毛髪体２０、係止部３０に対して、大きさが異なるだけで、基台１０、毛髪体２０、係止部３０と同一部材、同一機能を果たすものであることから、以下の詳細な説明は省略するものとする。
同様に、前髪用かつら２の構成要素で、既述した髷用かつら１の構成要素と同一部材、同一機能を果たすものには同一番号、同一符号を付し、以下詳細な説明は省略するものとする。
【００３０】
次に図１〜図４を参照して、このような構成からなる髷用かつら１、前髪用かつら２の製造方法を説明する。なお、髷用かつら１、前髪用かつら２とは、基本的な製造方法が同じであることから、以下においては髷用かつら１の製造方法のみを説明するものとする。
【００３１】
まず図４（ａ）を参照して、成形機を用いて所望の形に発泡スチロールを成形して基台１０を形成する。この際、髪飾り挿通部１１も一体成形する。
そして、基台１０の上方に毛髪体２０を配置した後、基台１０の外面に毛髪体２０を被覆させると共に、図３に示すように、基台１０の外面側から内面側に毛髪体２０を折り込んで、固定具４０を介して基台１０に毛髪体２０を固定させる。この際、基台１０及び毛髪体２０の所定位置に、固定具４０を介して係止部３０を固定させる。具体的には、糸で構成される固定具４０を用いて、支持体３１を基台１０及び毛髪体２０に縫い付けて固定させる。またこの際、毛髪体２０の前側端部は髪包みＲで束ね、後側端部は髪止めＤで束ねる。また毛髪体２０の前側端部と後側端部とを、それぞれ前側毛髪体ガイド部１２ａ、後側毛髪体ガイド部１２ｂにガイドさせて基台１０の裏面に収容する。
以上により、髷かつら１が形成される。
また上記と同様の方法を用いて、前髪用かつら２が形成される。なお、前髪用かつら２の製造方法は、髷用かつら１の製造方法と同様であることから、詳細な説明は省略するものとする。
【００３２】
次に、このような構成からなる髷用かつら１と前髪用かつら２とを備えてなる日本髪用かつらセット１００を装着者３の地髪３ａに装着すると共に、髪飾りＫ、角隠しＴを取り付ける手順を説明する。
【００３３】
まず図１（ｂ）、図２、図３を参照して、髷用かつら１と前髪用かつら２とを地髪３ａの所望の位置に取り付ける。具体的には、図３に示す髷用かつら１の係止体３２と、前髪用かつら２の係止体７２とを地髪３ａの所望の位置に差し入れる。
以上により、図１（ｂ）、図２に示すように、装着者３の地髪３ａの所望の位置に、髷用かつら１と前髪用かつら２とが装着される。
【００３４】
その状態で、髪飾り挿通部１１に髪飾りＫを挿通させて取り付ける。
そして角隠しＴを所望の位置に巻き付けて、ピンＦを介して角隠しＴを前髪用かつら２に固定させる。具体的には、図２（ｂ）に示すように、ピンＦを角隠しＴに差し込み、角隠しＴを貫通させて前髪用かつら２の基台５０に差し込んで固定させる。この際、基台５０は発砲スチロールで形成されていることから、ピンＦを容易且つ確実に所望の位置まで差し込んで固定させることができる。なお、ピンＦの配置位置は、本実施形態のものに限るものではなく、適宜変更可能である。例えばピンＦを角隠しＴに差し込み、角隠しＴを貫通させて髷用かつら１の基台１０に差し込んで固定させる構成としてもよい。本実施形態においては、基台１０が発泡スチロールで形成されていることから、前髪用かつら２と同様に、ピンＦを任意の位置に容易に差し込んで角隠しＴを固定させることができる。
以上により、日本髪用かつらセット１００の地髪３ａへの装着と、髪飾りＫの髷用かつら１への装着と、角隠しＴの前髪用かつら２への装着とが完了する。
【００３５】
このような構成からなる本発明の第１の実施形態に係る髷用かつら１及び髷用かつら１と前髪用かつら２とを備えてなる日本髪用かつらセット１００は、以下の効果を奏する。
【００３６】
髷用かつら１の構成として、発砲スチロールからなる基台１０と、基台１０の外面を被覆すると共に、基台１０の外面側から内面側に折り込んで固定される毛髪体２０とを備え、基台１０は、山なりに湾曲した湾曲形状をなすと共に、基台１０の内面側に櫛歯状部材を備える係止部３０と、髪飾りＫを挿通させるための髪飾り挿通部１１を備える構成とすることで、頭の形に添った状態で、装着者３の地髪３ａに容易に装着できる髷用かつら１とすることができる。また髪飾りＫを装着する（取り付ける）場合においても、髪飾り挿通部１１の貫通孔１１ｂに芯棒Ｋ１を挿通させてクリップ部にて貫通孔１１ｂの縁を挟むだけで、容易且つ迅速に髪飾り４０を髷用かつら１に装着することができる。
【００３７】
また前髪用かつら２の構成として、発砲スチロールからなる基台５０と、基台５０の外面を被覆すると共に、基台５０の外面側から内面側に折り込んで固定される毛髪体６０とを備え、基台５０は、山なりに湾曲した湾曲形状をなすと共に、基台５０の内面側に前髪用かつら２を装着者３の地髪３ａに係止させる係止部７０を備える構成とすることで、頭の形に添った状態で、装着者３の地髪３ａに容易に装着できる前髪用かつら２とすることができる。
加えて、前髪用かつら２と髷用かつら１とで日本髪用かつらセット１００を構成することで、頭の形に添った状態で、装着者３の地髪３ａに容易に装着できる日本髪用かつらセットとすることができる。
【００３８】
また基台１０の前側端部と後側端部との両方に、基台１０の外面側から内面側に折り込まれる毛髪体２０をガイドするための毛髪体ガイド部１２を備える構成とすることで、毛髪体２０を効率的に基台１０の外面側から内面側に折り込むことができる。
加えて、毛髪体ガイド部２０は、基台１０を略Ｕ字状に内側に切り欠いてなる切り欠きで構成することで、毛髪体ガイド部１２を簡易な構成で形成することができると共に、毛髪体２０の端部を略Ｕ字状の溝に沿わせて滑らせながら容易に収束させることができる。よって基台１０に毛髪体２０を固定する際の作業効率を向上させることができる。
【００３９】
また基台１０及び基台５０を構成する樹脂素材として、発泡スチロールを用いる構成とすることで、軽くて、屈曲性を備えた基台１０及び基台５０とすることができる。よって装着者３に対する装着時の負担や疲れを効果的に軽減できると共に、一段と装着者３の頭の形に添った状態で装着可能な髷用かつら１、前髪用かつら２、日本髪用かつらセット１００とすることができる。
更に髷用かつら１、前髪用かつら２を装着した状態において、角隠しＴを装着する際には、ピンＦを角隠しＴに差し込み、そのまま前髪用かつら２の基台５０を構成する発泡スチロールに差し込むだけで、角隠しＴを容易且つ確実に固定することができる。よって角隠しＴの装着に係る手間の簡略化や時間の短縮化を実現できる日本髪用かつらセット１００とすることができる。
【００４０】
次に、図５を参照して、本発明の実施形態に係る日本髪用かつらセット１００の他の使用例と、髷用かつら１を構成する基台１０の変形例とを説明する。
【００４１】
まず図５（ａ）を参照して、日本髪用かつらセット１００の他の使用例を説明する。
本使用例は、綿帽子Ｗを用いる際に本発明の実施形態に係る日本髪用かつらセット１００を使用するものである。本発明の実施形態に係る日本髪用かつらセット１００は、このような場合においても、ピンＦを介して綿帽子Ｗを容易且つ確実に固定することができる。よって花嫁姿を迅速に完成させることができる日本髪用かつらセット１００とすることができる。このような効果は、成人女性を花嫁姿にする場合に有効なだけでなく、じっとしていることが難しい子供（特に、３歳〜５歳程度の子供）をイベント等で花嫁姿にする場合に特に有効である。このように、子供を花嫁姿にすることで、目新しいイベントして、町おこしなどを図ることができるだけでなく、孫の将来の花嫁姿を祖父母に見せることができ、心温まるイベントとすることできる。
【００４２】
次に図５（ｂ）を参照して、日本髪用かつらセット１００の他の使用例を説明する。
本使用例は、本発明の実施形態に係る日本髪用かつらセット１００のうち、髷用かつら１だけを使用するものである。本発明の実施形態に係る日本髪用かつらセット１００は、このような使用方法で用いることも可能である。具体的には、前髪用かつら２は、日本髪を形成する場合において、前髪部分を形成することが困難な前髪が短い者（例えば子供や前髪の短い髪型の者）に対して用いれば良いため、前髪が長く、日本髪の前髪を容易に結うことができる者に対しては前髪用かつら２を用いることなく、髷用かつら１だけを使用することで、日本髪を容易につくることができる。
【００４３】
次に図５（ｃ）を参照して、髷用かつら１を構成する基台１０の変形例を説明する。
本変形は、既述した本発明の実施形態に係る髷用かつら１に対して、基台１０の髪飾り挿通部１１の構成だけを変形させたものである。その他の構成は、既述した本発明の実施形態に係る髷用かつら１と同様であることから、同一部材、同一機能を果たすものには、同一番号、同一符号を付すと共に、基台１０のみを説明し、その他の説明は省略するものとする。
【００４４】
図５（ｃ）を参照して、本変形例は、髪飾り挿通部１１の貫通孔１１ｂに、髪飾りＫの芯棒Ｋ１を案内するための芯棒案内具Ｇを備えるものである。具体的には、平面視においてコの字状の樹脂素材からなる部材を貫通孔１１ｂ内の一端側から他端側まで配置するものである。なお、樹脂素材としては、例えばプラスチックを用いることができる。
このような構成とすることで、貫通孔１１ｂに芯棒Ｋ１を差し込む際に、芯棒案内具Ｇに沿わせて芯棒Ｋ１を容易に差し込むことができる。よって髪飾りＫの取り付け作業の効率化を実現することができる。また髪飾り挿通部１１は、発砲スチロールで形成されるものであることから、芯棒Ｋ１を芯棒案内具Ｇに沿わせることで、貫通孔１１ｂ内の損傷を効果的に防止することができる。よって耐久性の高い髷用かつら１とすることができる。
なお、芯棒案内具Ｇの形状、大きさは本実施形態のものに限るものではなく、貫通孔１１ｂ内に配置可能であると共に、芯棒Ｋ１を案内できるものであれば、適宜変更可能である。
【００４５】
次に図６を参照して、本発明の第１の実施形態に係る髷用かつら１の変形例と、本発明の第２の実施形態に係る髷用かつら５を説明する。
【００４６】
まず図６（ａ）を参照して、本発明の第１の実施形態に係る髷用かつら１の変形例を説明する。本変形例は、既述した本発明の第１の実施形態に係る髷用かつら１に対して、係止体の構成のみを変化させたものである。その他の構成は、既述した本発明の実施形態に係る髷用かつら１と同様であることから、同一部材、同一機能を果たすものには、同一番号、同一符号を付し、詳細な説明は省略するものとする。また、以下においては、係止体３３のみを説明するものとする。
【００４７】
図６（ａ）を参照して、本発明の第１の実施形態の変形例は、一対のピン３３ａ、３３ｂで係止体３３を構成するものである。より具体的には、装着者３の地髪３ａに対して、横方向に指し通した状態で毛髪体を挟持可能な一対のピン３３ａ、３３ｂで係止体３３を構成するものである。
このような構成とすることで、一段としっかりと地髪３ａに係止させることが可能な係止部とすることができる。
【００４８】
次に図６（ｂ）を参照して、本発明の第２の実施形態に係る髷用かつら５を説明する。本第２の実施形態の髷用かつら５は、既述した第１の実施形態に係る髷用かつら１に対して、髷用かつら５を構成する基台１０の構成を変化させると共に、基台１０の内面側に、基台１０の内面を被覆する内面被覆体を備える構成とするものである。その他の構成は、既述した本発明の実施形態に係る髷用かつら１と同様であることから、同一部材、同一機能を果たすものには、同一番号、同一符号を付し、以下詳細な説明は省略するものとする。
【００４９】
具体的には図６（ｂ）を参照して、基台１０の内面側に、髪飾り挿通部を設けずに、基台１０の内面に、シート状部材で構成される内面被覆体４を被覆させる構成とするものである。そして、この内面被覆体４に髪飾り挿通部４ｃを設ける構成とするものである。より具体的には、内面被覆体４の長手方向と交差する短手方向に延びる突出部４ａと、突出部４ａの長手方向に設ける貫通孔４ｂとで形成される髪飾り挿通部４ｃを内面被覆体４に設けてある。
なお、本実施形態においては図６（ｂ）に示すように、髪飾り挿通部４ｃを構成する突出部４ａの長さを、基台１０の内側に収まる長さとする構成としてある。このような構成とすることで、髪飾り挿通部４ｃが基台１０からはみ出さない構成とすることができる。
【００５０】
シート状部材で構成される内面被覆体４としては、例えばフェルト布を用いることができる。また髪飾り挿通部４ｃとしては、例えば皮革を筒状に形成したものを用いることができる。本実施形態においては、内面被覆体４としてフェルト布を用い、髪飾り挿通部４ｃとして皮革を用いる構成としてある。また図示していないが、糸で構成される固定具４０を用いて、内面被覆体４を基台１０の内面側に隙間なく縫い付けて固定させてある。更に筒状に形成してなる髪飾り挿通部４ｃを、貫通孔４ｂに髪飾りを挿通可能な状態で、固定具４０を介して内面被覆体４に縫い付けて固定させてある。
【００５１】
このように内面被覆体４を用いる構成とすることで、発砲スチロールで形成される基台１０が露出することがない。よって毛髪体２０と一体感があり、見栄えが良く、違和感の少ない髷用かつら５とすることができる。加えて、発砲スチロールで形成される基台１０と装着者３の地髪３ａや地肌とがこすれ合った場合でも、発砲スチロールの粉が地髪３ａや地肌に付くことを確実に防止することができ、また発砲スチロールの粉が外部にこぼれ落ちることを確実に防止することができる。よって衛生的で、一段と繰り返し使用にも適した髷用かつらとすることができる。
【００５２】
また髪飾り挿通部４ｃとして、皮革を用いる構成とすることで、皮革は表面に適度な摩擦力を備えるものであることから、髪飾りＫを挿通させた場合に、髪飾りＫが滑り落ちることを効果的に防止することができる。よって一段と使い勝手の良い髷用かつら５とすることができる。
なお、髷用かつら５に加えて、前髪用かつらにも内面被覆体を設ける構成としてもよい。
【００５３】
次に、図７、図８を参照して、本発明の第２の実施形態に係る髷用かつら５の変形例１、２を説明する。
なお、図８（ａ）においては、説明の便宜上、それぞれ三つある髪止め具保持部８０、９０のうち、各一つを図示してある。また髪止め具保持部８０、９０をやや大きく図示し、その角度も形状が把握し易い角度で図示してある。
【００５４】
まず図７、図８（ａ）を参照して、本発明の第２の実施形態に係る髷用かつら５の変形例１を説明する。本変形例は、既述した本発明の第２の実施形態に係る髷用かつら５に対して、髪止め具を係止させて保持するための髪止め具保持部８０、９０を設けるものである。また、髷用かつら５の基台１０の後側端部付近に、基台の形状を保持するための形状保持用部材Ｂを着脱自在に取り付けてあるものである。
その他の構成は、既述した本発明の第２の実施形態に係る髷用かつら５と同様であることから、同一部材、同一機能を果たすものには、同一番号、同一符号を付し、詳細な説明は省略するものとする。
【００５５】
図７を参照して、本変形例においては、毛髪体２０の後側端部に髪止め具保持部８０を設けると共に、毛髪体２０の前側端部に髪止め具保持部９０を設けてある。
この髪止め具保持部８０、９０は、髷用かつら５を装着者３の地髪３ａに装着する際に使用する髪止め具を保持するためのものである。
【００５６】
前記髪止め具保持部８０は、図７、図８（ａ）に示すように、支持体８１と髪止め具係止用環状体８２とで構成される。
前記支持体８１は、髪止め具保持部８０の骨格を構成すると共に、髪止め具係止用環状体８２を支持するものである。本変形例１においては、固定具４０を用いて、フェルト生地を筒状に縫い合わせることで支持体８１を形成してある。具体的には、矩形状のフェルト生地を毛髪体２０に巻き付けた後、フェルト生地が重なり合う部分を固定具４０により縫い合わせることで、支持体８１を形成してある。
【００５７】
前記髪止め具係止用環状体８２は、髪止め具を挿通させて係止させるためのものである。本変形例においては図８（ａ）に簡略化して示すように、固定具４０を用いて、フェルト生地を筒状に縫い合わせることで髪止め具係止用環状体８２を形成してある。そして、このような髪止め具係止用環状体８２を、固定具４０を用いて支持体８１に縫い付けて固定してある。
また本変形例においては図７、図８（ａ）に示すように、髪止め具係止用環状体８２の貫通孔Ｓが基台１０の長手方向に対して交差する方向に配置されるように、髪止め具係止用環状体８２を支持体８１に固定してある。
更に本変形例においては図７に示すように、毛髪体２０を三又に分けて、髪止め具保持部８０を三つ設ける構成としてある。勿論、毛髪体２０の後側端部に設ける髪止め具保持部８０の数は本変形例のものに限るものではなく、適宜変更可能である。
なお、支持体８１に対する髪止め具係止用環状体８２の縫い付けは、矩形状のフェルト生地を毛髪体２０に巻き付けて支持体８１を形成する前、後の何れに行うものであってもよい。
【００５８】
図示していないが、本変形例においては、髪止め具として、略Ｕ字形状の、いわゆる髪止め用ピンを用い、一方のピン部分を装着者の地髪に挿し通し、他方のピン部分を髪止め具係止用環状体８２に挿通させることで、髪止め用ピンで地髪と髪止め具係止用環状体８２とを挟持させ、これによって髪止め用ピンを髪止め具保持部８０で保持する構成としてある。
【００５９】
前記髪止め具保持部９０は、図７、図８（ａ）に示すように、支持体９１と髪止め具係止用環状体９２、９３とで構成される。
前記支持体９１は、髪止め具保持部９０の骨格を構成すると共に、髪止め具係止用環状体９２、９３を支持するものである。本変形例においては図８（ａ）に示すように、固定具４０を用いて、フェルト生地を筒状に縫い合わせることで支持体９１を形成してある。
また図示していないが、筒状に形成される支持体９１の長手方向一端側を、固定具４０を用いて基台１０、毛髪体２０に縫い付けて固定してある。
【００６０】
前記髪止め具係止用環状体９２、９３は、髪止め具を挿通させて係止させるためのものである。本変形例において図示していないが、固定具４０を用いて、フェルト生地を筒状に縫い合わせることで髪止め具係止用環状体９２、９３を形成してある。そして、このような髪止め具係止用環状体９２、９３を、固定具４０を用いて支持体９１に縫い付けて固定してある。
また本変形例においては図７に示すように、支持体９１を三つ並列配置させて設ける構成としてある。更に詳しくは図示していないが、両端に配置される支持体９１においては、髪止め具係止用環状体９２の貫通孔Ｕ１が基台１０の長手方向に対して交差する方向に配置されるように、髪止め具係止用環状体９２を支持体９１に固定してある。一方、真ん中に配置される支持体９１においては、髪止め具係止用環状体９３の貫通孔Ｕ２が基台１０の長手方向に対して平行な方向に配置されるように、髪止め具係止用環状体９３を支持体９１に固定してある。
なお、毛髪体２０の前側端部に設ける髪止め具保持部９０の数は本変形例のものに限るものではなく、適宜変更可能である。
【００６１】
図示していないが、本変形例においては、髪止め具として、略Ｕ字形状の、いわゆる髪止め用ピンを用い、一方のピン部分を装着者の地髪に挿し通し、他方のピン部分を髪止め具係止用環状体９２、９３に挿通させることで、髪止め用ピンで地髪と髪止め具係止用環状体９２、９３とを挟持させ、これによって髪止め用ピンを髪止め具保持部９０で保持する構成としてある。
【００６２】
このように、髪止め具保持部８０、９０を設ける構成とすることで、髪止め具を介して装着者の地髪に一段と効率的に髷用かつら５を装着することができる。
【００６３】
前記形状保持用部材Ｂは、発泡スチロールで形成される基台１０の形状を保持するための部材である。
本変形例においては、図７、図８（ａ）に示すように、形状保持用部材Ｂとして、内側に着脱可能な接着剤が塗布された細長い矩形状の樹脂素材（本変形例においては薄肉なゴム）を用いる構成としてある。そして形状保持用部材Ｂを基台１０、毛髪体２０、内面被覆体４の表面に一体的に巻き付けて、保持用部材Ｂの端部を接着させる構成としてある。
【００６４】
このように、形状保持用部材Ｂを設ける構成とすることで、形状保持用部材Ｂが、いわば芯のような役割をなし、発泡スチロールで形成される基台１０の後側端部が外側に延びたり、内側に折れ曲がったりすることを効果的に防止することができる。特に、基台１０の後側端部が外側に延びて髷用かつら５の高さが低くなることを効果的に防止できる。これによって、角隠しＴや綿帽子Ｗを装着する際に、角隠しＴや綿帽子Ｗを望ましい高さや角度で装着することができると共に、その状態を維持（保持）することができる。
【００６５】
なお、本変形例においては、形状保持用部材Ｂを基台１０、毛髪体２０、内面被覆体４の表面に一体的に巻き付ける構成としたが、必ずしもこのような構成に限るものではない。例えば基台１０の後側端部に形状保持用部材Ｂを取り付け（巻き付け）、その後、基台１０に毛髪体２０、内面被覆体４を取り付けるような構成としてもよい。このような構成とすることで、形状保持用部材Ｂが露出することを効果的に防止することができる。
また形状保持用部材Ｂの材質も樹脂素材に限るものではなく、一定の強度を備えるものであれば、例えば薄肉な板状の磁石等、他の素材を用いる構成としてもよい。
【００６６】
次に図８（ｂ）を参照して、本発明の第２の実施形態に係る髷用かつら５の変形例２を説明する。
本変形例は、既述した本発明の第２の実施形態に係る髷用かつら５に対して、基台１０の構成を変化させたものである。その他の構成は、既述した本発明の第２の実施形態に係る髷用かつら５と同様であることから、同一部材、同一機能を果たすものには、同一番号、同一符号を付し、詳細な説明は省略するものとする。
【００６７】
図８（ｂ）を参照して、本変形例においては、基台１０の内面に、基台１０の強度を補強するための補強材Ｈを配置してある。
本変形例においては、補強材Ｈとして、屈曲自在な細長い板状部材を用いる構成としてある。また細長い板状部材を、その長手方向が基台１０の長手方向と平行となるように、基台１０の短手方向の中央位置に取り付けてある。なお、基台１０に補強材Ｈを取り付ける方法は、例えば両面テープによる貼り付けや固定部材４０を用いた縫い付けなど、各種方法を用いることができる。
また補強材Ｈの大きさ、厚みは本変形例のものに限るものではなく、適宜変更可能である。但し、角隠しＴや綿帽子Ｗを装着する際に、ピンＦを基台１０に差し込むことができるスペースを基台１０に設けることが可能な大きさであることが必要である。
このように、基台１０の内面に補強材Ｈを設けることで、簡易な構成で基台１０の強度を効果的に増強させることができる。
【００６８】
なお、本実施形態に係る日本髪用かつらセット１００においては、髷用かつら１、前髪用かつら２を構成する毛髪体２０、６０を人工髪としたが、必ずしもこのような構成に限るものではなく、天然髪を用いる構成としてもよい。
【００６９】
基台１０、５０の形状、大きさも本実施形態のものに限るものではなく、適宜変更可能である。
また基台１０、５０の厚み方向に１乃至複数の貫通孔を設ける構成としてもよい。このような構成とすることで、通気性の良い基台とすることができる。
【産業上の利用可能性】
【００７０】
本発明によれば、日本髪用かつらの分野で有益な効果を奏することができることから、日本髪用かつらの分野における産業上の利用性が高い。
【符号の説明】
【００７１】
１            髷用かつら
２            前髪用かつら
３            装着者
３ａ          地髪
４            内面被覆体
４ａ          突出部
４ｂ          貫通孔
４ｃ          髪飾り挿通部
５            髷用かつら
１０          基台
１１          髪飾り挿通部
１１ａ        突出部
１１ｂ        貫通孔
１２          毛髪体ガイド部
１２ａ        毛髪体ガイド部
１２ｂ        毛髪体ガイド部
２０          毛髪体
３０          係止部
３１          支持体
３２          係止体
３３          係止体
３３ａ        ピン
３３ｂ        ピン
４０          固定具
５０          基台
６０          毛髪体
７０          係止部
７２          係止体
８０          髪止め具保持部
８１          支持体
８２          髪止め具係止用環状体
９０          髪止め具保持部
９１          支持体
９２          髪止め具係止用環状体
９３          髪止め具係止用環状体
１００        日本髪用かつらセット
Ｂ            形状保持用部材
Ｄ            髪止め
Ｆ            ピン
Ｇ            芯棒案内具
Ｈ            補強材
Ｋ            髪飾り
Ｋ１          芯棒
Ｋ２          装飾体
Ｌ            長さ
Ｍ            長さ
Ｎ            長さ
Ｐ            長さ
Ｑ            長さ
Ｒ            髪包み体
Ｓ            貫通孔
Ｔ            角隠し
Ｕ１          貫通孔
Ｕ２          貫通孔
Ｗ            綿帽子
【図１】
2020097808.tif 000003
【図２】
2020097808.tif 000004
【図３】
2020097808.tif 000005
【図４】
2020097808.tif 000006
【図５】
2020097808.tif 000007
【図６】
2020097808.tif 000008
【図７】
2020097808.tif 000009
【図８】
2020097808.tif 000010